【事件の表示】
　特許第３２１７８２３号「酸素検知機能を有する包装材料」の請求項１、２に係る特許に対する特許異議の申立てについて、次のとおり決定する。
【結　論】
　訂正を認める。
　特許第３２１７８２３号の請求項１に係る特許を取り消す。
【理　由】
１．手続の経緯
　本件特許第３２１７８２３号の発明についての出願は、平成３年１１月２８日に出願され、平成１３年８月３日にその発明について特許権の設定登録がされ、その後、その特許について、申立人凸版印刷株式会社により特許異議の申立てがなされ、取消理由が通知された後、その指定期間内である平成１４年９月３０日に訂正請求がなされたものである。
　
２．訂正請求の適否
（１）訂正の内容
＜訂正事項ａ＞
　特許請求の範囲の請求項１を削除し、請求項２の記載「【請求項２】酸素インジケーター層が色素と還元剤とを含むインキ又は塗料から形成されている請求項１に記載の酸素検知機能を有する包装材料からなる包装袋。」を、
「【請求項１】包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が複数の色素と還元剤とを含むインキ又は塗料から形成され、有色から異なる色相の色に変化することを特徴とする酸素検知機能を有する包装材料からなる包装袋。」と訂正する。
＜訂正事項ｂ＞
　段落番号【０００４】の【課題を解決する為の手段】の「即ち、本発明は、包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層したことを特徴とする酸素検知機能を有する包装材料からなる包装袋である。」を、
「即ち、本発明は、包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が複数の色素と還元剤とを含むインキ又は塗料から形成され、有色から異なる色相の色に変化することを特徴とする酸素検知機能を有する包装材料からなる包装袋である。」と訂正する。
　
(２)訂正事項ａ〜訂正事項ｂについて
　訂正事項ａは、特許請求の範囲の減縮を目的とするものであり、訂正事項ｂは、特許請求の範囲の減縮に伴い、特許請求の範囲の記載と発明の詳細な説明の記載との整合を図るためのものであるから、明りょうでない記載の釈明を目的とするものである。
　そして、訂正事項ａおよびｂは、本件明細書の発明の詳細な説明に記載されており（本件特許公報３頁６欄２１行〜２９行）、実施例にも複数の色素（メチレンブルー及びサフラニンＴ）の例示がある（同４頁のＡインキ組成）から、新規事項の追加には該当しない。
　また、訂正事項ａ〜訂正事項ｂは、実質上特許請求の範囲を拡張し又は変更するものではない。
（３）訂正事項の検討結果
　よって、上記訂正は、特許法第１２０条の４第３項において準用する平成６年法律第１１６号による改正前の特許法第１２６条第１項ただし書き、第２項及び第３項の規定に適合しているので、当該訂正を認める。
　
３．本件発明
　本件特許の請求項１に係る発明は、上記訂正明細書の特許請求の範囲の請求項１に記載された次のとおりのものである。
「【請求項１】包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が複数の色素と還元剤とを含むインキ又は塗料から形成され、有色から異なる色相の色に変化することを特徴とする酸素検知機能を有する包装材料からなる包装袋。」
　
４．引用刊行物の記載事項
　＜引用刊行物＞
　刊行物１：特開昭６４−１０１７２号公報（参考文献１）
　刊行物２：特開昭５３−４４２０９号公報（参考文献３）
　刊行物３：特開昭６０−９３９８３号公報（参考文献４）
　刊行物４：特開昭５６−１２９１７０号公報（甲第２号証）
　刊行物５：特開平３−６７２号公報（甲第１号証）
　当審が通知した取消理由に引用された刊行物は上記のもので、各刊行物には次の事項が記載されている。
（１）刊行物１
　刊行物１には、サルコサミンを塩基性高分子に結合させて高分子コバルト錯体に変化させると、この錯体は酸素分圧に応じて可逆的にしかも迅速に酸素を吸脱着することを見出したことが記載され（２頁右上欄１８行〜左下欄２行）、この錯体は、サルコサミンと同様に、酸素を結合していない状態では黄橙色であるが、酸素を結合するに従って淡紫色から徐々に黒紫色まで変化することが記載されている（２頁左下欄２行〜５行）。
　そして、刊行物１には、酸素非透過性で透明の熱可塑性プラスチック（例えばポリ塩化ビニリデン）フィルムの片面の一部分に、「酸素インジケーター」である高分子コバルト錯体の溶液を印刷して乾かし、続いてその印刷面側に酸素透過性熱可塑性プラスチック（例えばポリエチレン）フィルムを接着剤（例えばポリウレタン系接着剤、ポリアクリル酸系接着剤）で貼り合わせて積層シートとした、酸素インジケーターシートが記載され（３頁左上欄１５行〜右上欄２行）、この酸素インジケーターシートは包装容器として使用することできることが、記載されている（３頁右上欄５行〜６行）。
（２）刊行物２
　刊行物２には、プラスチックなどの印刷インキまたは塗装剤が強固に付着し難い基材の表面に「プライマー」を施し、印刷もしくは塗装用プライマーとして使用することにより、普通処方の印刷インキまたは塗料の基材への接着が強固になり、また印刷または塗装した面に別のアンカーコーティング剤を用いて樹脂皮膜を施した場合も、基材とインキおよび別のアンカーコーティング層との間の接着力が強く耐性の強い印刷物またはそのラミネート物を得ることできることが記載されている（１頁右下欄２行〜４行、２頁左上欄３行〜１１行、同頁右下欄２行〜５行）。
　基材上にプライマーを介して印刷された印刷層にアンカーコーティング層を介してポリエチレンを押出ラミネートしたことも、実施例４として記載されている。
（３）刊行物３
  また、刊行物３にも、基材に酸素インジケーターを印刷する際にプライマーを介して印刷することが記載されている（４頁左上欄の実施例２）。
（４）刊行物４
　前記刊行物４には、印刷された基材フィルムの印刷面に、アンカーコート層を介して樹脂層をエクストルージョンコーティングすることが記載されている。
（５）色素と還元剤とを含むインキ
　前記刊行物３および刊行物５には、酸素インジケータ層が色素と還元剤とを含むインキから形成されることが記載されている（刊行物３の実施例２，刊行物５の３頁右下欄１５行〜４頁左上欄３行、４頁右下欄〜５頁左上欄の実施例１の記載）。
　しかも、刊行物５には、「酸素インジケータ」である酸素検知剤の成分として、特開昭５３−１１７４９５号、特開昭５３−１２０４９３号、特開昭５４−４８２９４号、特開昭５４−７０８８７号、特開昭５６−６０６４０号、に記載されている公知の酸素検知剤を使用できることが記載されている（刊行物５の３頁右下欄１１行〜１５行）。
　
５．本件発明と刊行物１発明との対比
　本件発明と刊行物１に記載された発明とを対比すると、両者は、
（一致点）
「包装材料である気体不透過性の透明樹脂シート上に、酸素インジケーター層が設けられ、前記酸素インジケーター層が覆われる様に、気体透過性の樹脂層を積層した酸素検知機能を有する包装材料からなる包装袋。 」
である点で一致するが、次の点で相違する。
（相違点１）
　本件発明では、酸素インジケーター層は、プライマーコート層を介して設けられるのに対し、刊行物１には、プライマーコート層について記載されていない点。
（相違点２）
　本件発明では、気体透過性の樹脂層は、アンカーコート層を介して、シーラント層を押出ラミネート法で積層するものであるのに対し、刊行物１発明では、気体透過性の樹脂フィルムを接着剤層により貼り合わせて積層しており、刊行物１には押出ラミネート法について記載されていない点。
（相違点３）
　本件発明では、酸素インジケーター層が複数の色素と還元剤とを含むインキ又は塗料から形成され、有色から異なる色相の色に変化するものであるのに対し、刊行物１発明の酸素インジケーター層は高分子アミンコバルト錯体により印刷形成されるものであって、刊行物１には、酸素インジケーター層を複数の色素と還元剤とを含むインキ又は塗料から形成することについては記載されていない点。
　
６．相違点についての検討
  そこで、前記の相違点について検討する。
（１）相違点１について
　印刷あるいは塗装される基材面にプライマーコート層を設けて、印刷あるいは塗装された層の基材への接着を強固にし、かつその上に別のアンカーコーティング剤を用いて樹脂皮膜を施した場合も、基材とインキおよび別のアンカーコーティング層との間の接着力が強く耐性の強い印刷物またはそのラミネート物が得られることは、前記刊行物２にも記載されているように、印刷あるいは塗装の分野では広く知られた事項である。
　そうすると、包装材料である気体不透過性の透明樹脂シート上に、酸素インジケーター層を設ける際に、気体不透過性の透明樹脂シート上に、プライマーコート層を介して、酸素インジケーター層を設けることは、当業者が適宜なし得ることにすぎない。
（２）相違点２について
　また、アンカーコート層を介しての樹脂層の押出ラミネート法による積層も、前記刊行物２、刊行物４にもみられるように、印刷における樹脂層の積層方法として周知の方法にすぎないから、酸素インジケーター層に気体透過性の樹脂を積層する際に、アンカーコート層を介して、気体透過性の樹脂によりシーラント層を押出ラミネート法により積層する方法を採用することも、当業者が容易に設計変更できる範囲内の事項である。
（３）相違点３について
  酸素インジケーター層として、色素と還元剤とを含むインキ又は塗料から形成されるものは、刊行物３又は刊行物５に記載されているように周知である。
　しかも、そのようなインキ又は塗料の酸素インジケーターとして、還元状態での色と酸化状態での色が変わる色素と両方の状態で変化しない染料等の「色相調節剤」となる色素とを組み合わせて含み、有色から異なる色相の色に変化するものも周知である（必要ならば、例えば前記刊行物５記載の、特開昭５３−１１７４９５号公報（４頁右下欄６行〜１６行）、特開昭５３−１２０４９３号公報（４頁左上欄１６行〜右上欄３行）、特開昭５４−７０８８７号公報（３頁左下欄４行〜８行）等参照。）から、酸素インジケータ層として、刊行物１記載の高分子アミンコバルト錯体を含むものに代えて、複数の色素と還元剤とを含むインキ又は塗料から形成され、有色から異なる色相の色に変化するものを使用することも、当業者であれば容易になし得ることである。
　
（４）相違点についての検討結果
　したがって、本件発明は、前記刊行物１〜５に記載された発明に基いて当業者が容易に発明をすることができたものである。
　
７．むすび
　以上のとおりであるから、本件発明は、特許法第２９条第２項の規定により特許を受けることができない。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１２月２６日（２００２．１２．２６）
【訂正の要旨】
▲１▼．訂正事項ａ
　特許請求の範囲の請求項１、２に係る記載において、もとの請求項１を削除し、請求項２を繰り上げると共に特許請求の範囲の減縮を目的として、下記のとおりに訂正する。（クレーム対応表参照）
「【請求項１】
　包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が
複数の
有色から異なる色相の色に変化する
▲２▼．訂正事項ｂ
　上記特許請求の範囲の訂正に伴い、特許請求の範囲の記載と発明の詳細な説明の記載との整合を図るため、明瞭でない記載の釈明を目的として明細書（特許登録時）の発明の詳細な説明の項の「課題を解決するための手段」の欄の記載を下記のとおり訂正する。
「〔課題を解決するための手段〕
　上記目的は以下の本発明によって達成される。即ち、本発明は、包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が
複数の
有色から異なる色相の色に変化する
（５４）【発明の名称】
酸素検知機能を有する包装材料
（５７）【特許請求の範囲】
　【請求項１】　包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が
複数の
有色から異なる色相の色に変化する
【発明の詳細な説明】
　【０００１】
　【産業上の利用分野】
　本発明は、包装体の内部の酸素検知を容易に行うことが出来る包装材料に関する。
　【０００２】
　【従来の技術】
　従来、包装体の内部の内容物の酸化を防止する為の包装方法として、ガスバリヤー性に優れた塩化ビニリデン樹脂コートフィルム製の袋に真空包装する方法や、同様な袋に内容物と脱酸素剤とを同時に密封し、内部の酸素を無くする方法が行われている。この様な場合に袋内部の酸素の有無を知る方法としては、酸素の存在によって発色又は変色する色素を含む酸素インジケーターが使用されている。該酸素インジケーターは主として還元状態の色素と充填剤とを錠剤化したものであり、これを袋内に同封しておき、袋内に酸素が侵入すると還元状態の色素が酸化されて発色し、袋内に酸素が存在することを肉眼で検知出来るという作用を有している。
　【０００３】
　しかしながら、上記従来の錠剤型の酸素インジケーターの場合には、袋の内面又は非包装物品の表面に固定することが困難である為、該錠剤が袋内で動き、外から見えなくなたり、錠剤が崩れて粉末が発生する場合がある等、種々の問題がある。従って本発明の目的は、包装材料を層状に構成し、該層内に酸素インジケーター層が設けられることによって、酸素インジケーターの変色による酸素の有無を検知し易く、内容物に衛生上の悪影響を及ぼすことがない酸素検知機能を有する包装材料を提供することである。
　【０００４】
　【課題を解決する為の手段】
　上記目的は以下の本発明によって達成される。即ち、本発明は、包装材料である気体不透過性の透明樹脂シート上に、プライマーコート層を介して酸素インジケーター層が設けられ、前記酸素インジケーター層が覆われる様に、アンカーコート層を介して、気体透過性の樹脂によりシーラント層を押出ラミネート法により積層した酸素検知機能を有する包装材料からなる包装袋であって、前記酸素インジケーター層が
複数の
有色から異なる色相の色に変化する
　【０００５】
　【作用】
　気体不透過性の透明樹脂シート上に酸素インジケーター層を設け、前記酸素インジケーター層が覆われる様に、気体透過性の樹脂によりシーラント層を押出ラミネート法により積層することによって、酸素インジケーターの変色による酸素の有無が検知し易く、内容物に衛生上の悪影響を及ぼすことがない酸素検知機能を有する包装材料を提供することが出来る。
　【０００６】
　【好ましい実施態様】
　次に好ましい実施態様を例示する図面を参照して本発明を更に詳細に説明する。図１は、本発明の酸素検知機能を有する包装材料の一実施例の一部断面を図解的に説明する図である。本発明の酸素検知機能を有する包装材料は、図１の様に透明樹脂シート（１）上に、酸素インジケーター層（３）が好ましくはプライマーコート層（２）を介して形成され、更に好ましくはアンカーコート層（４）を介してシーラント層（５）が押出ラミネート法により積層された構成である。本発明において、使用する透明樹脂シート（１）は、気体不透過性を有し、且つ酸素インジケーター層の変色が表面側から目視で確認出来なければならないので、透明性を有する樹脂シートが使用され、例えば、ポリビニルアルコール、ポリエチレンテレフタレート、ナイロン、その他のポリマーにポリ塩化ビニリデンコートしたもの等が挙げられる。
　【０００７】
　前記透明樹脂シート（１）上には、酸素インジケーター層（３）の密着性をよくする為にプライマーコート層（２）を形成するのが好ましい。使用することが出来るプライマーとしては、ポリエステル系ポリウレタン、塩化ビニル−酢酸ビニル共重合体、塩素化ポリプロピレン、塩素化エチレン・酢酸ビニル共重合体等、一般的なものならばいずれも使用可能であるが、透明樹脂シートの材質等により、いずれを使用するかを選択して使用する必要がある。プライマーコート層（２）の形成方法としては、グラビア印刷等の印刷方法或は塗布方法等が挙げられる。プライマーコート層（２）上に形成される酸素インジケーター層（３）は、酸素インジケーターインキ又は塗料から形成する。酸素インジケーターインキ又は塗料の１例は、酸化又は還元によって変色する色素を含有する。
　【０００８】
　酸素インジケーターインキ又は塗料に使用する色素は、酸化状態−還元状態で変色（発色、消色）する色素であればいずれの公知の色素でもよいが、好ましい色素は酸化状態で有色であり、還元状態では無色又は淡色となる染料であり、好ましい染料の具体例としては次の如き染料が挙げられる。（１）基本構造として
　【化１】
を有するチアジン系染料；例えば、メチレンブルー等、（２）基本構造として
　【化２】
を有するインジゴイド系染料；例えば、インジゴスルフォン酸カリウム塩等、（３）基本構造として
　【化３】
を有するチオインジゴイド染料；ミケスレンブリリアントピンクＲ等、（４）基本構造として
　【化４】
（Ｒは−Ｈ、アルキル基、アリル基を示す）を有する硫化染料；例えば、Ｃ．Ｉ．スルファーブルー７等であり、特に好ましい染料は上記（１）のチアジン系染料である。以上の如き染料は酸化状態でも還元状態でも使用することが出来る。
　【０００９】
　上記色素は、還元状態であれば単独でも使用することが出来るが、酸素インジケーター層（３）の安定性を高める為に還元剤を併用することが好ましい。又、前記色素は酸化状態でも使用出来、この場合には還元剤の併用が必須である。即ち、この場合には、空気中の酸素の存在によって発色状態であるが、これを脱酸素剤と共に袋内に密封すると、併用した還元剤が作用して色素が還元されて変色し、この状態に保たれる。次にこの袋内に酸素が侵入すると、色素は再度酸化されて変色することになる。上記色素と併用する還元剤は、色素を還元状態に保持し得るものであればいずれも使用可能であるが、ハイドロサルファイトの様な強力な還元剤の場合には、該還元剤が色素を過還元して色素を発色不能とする場合があり、又、保持時には該還元剤自体が空気中の酸素によって酸化される等、得られる包装材料の保持性が不足する場合があるので色素を選択する必要ある。この様な観点から常温では色素の還元性が低く、又、常温では空気内の酸素によって酸化されにくい還元剤が好ましい。
　【００１０】
　係る弱還元剤として好ましいものは、還元性糖類であり、この様な還元性糖類としては、Ｄ−マルトース、Ｄ−グルコース、Ｄ−フラクトース、Ｄ−エサスロース、Ｄ−アラビノース等の単糖類；マルトース、ラクトース等の単糖類分子のグリコシド結合からなる還元性糖類が挙げられ、又、アスコルビン酸の様に水酸基を有している樹脂酸も同様に使用することが出来る。その使用量は上記色素１重量部に対して１〜１００重量部が好ましい。又、インジケーターインキ又は塗料中には適当なアルカリ性物質を併存させるのが好ましく、この様なアルカリ性物質としては、水と接触してｐＨ８以上になるものであればいずれでもよく、例えば、水酸化ナトリウム、水酸化カリウム、炭酸ナトリウム、炭酸カリウム、水酸化カルシウム、炭酸カルシウム、炭酸水素ナトリウム、炭酸水素カリウム、炭酸水素カルシウム、水酸化マグネシウム、酢酸ナトリウム、酢酸カリウム、酒石酸カリウムナトリウム、２−エチルヘキサン酸カリウム塩等の水酸化物、カルボン酸塩、各種塩類等が挙げられる。長期安定性の点からは水酸化マグネシウムが特に好ましい。その使用量は上記染料１重量部に対して１〜５００重量部が好ましい。
　【００１１】
　上記色素等をインキ化又は塗料化する適当なバインダーとしては、例えば、好適な例としては、エチルセルロース、エチルヒドロキシエチルセルロース、セルロースアセチルプロピオネート等のセルロース誘導体、ブチラール樹脂、ポリエステル樹脂、アクリル樹脂、ポリエーテル樹脂、ポリアミド樹脂、石油系樹脂等の１種以上が挙げられる。これらのバインダーは、好ましくは、トルエン、キシレン等の芳香族系、酢酸エチル、酢酸ブチル等のエステル系、メチルエチルケトン、メチルイソブチルケトン等のケトン系、メタノール、エタノール、イソプロピルアルコール等のアルコール系、更にはエチレングリコールモノエーテル類或いはエチレングリコール等のグリコール類等の有機溶剤或いは水に溶解又は分散して使用する。上記バインダーは溶剤１００重量部に対して５〜１００重量部を溶解又は分散させて使用することが好ましい。酸素インジケーター層を形成する為のインキ又は塗料は、上記樹脂溶液１００重量部に対して前記成分系を５〜４０重量部の割合で溶解若しくは分散させることにより得られる。この溶解若しくは分散させる方法としては全成分を混合してサンドミル、ボールミル、ロールミル、アトライター等の一般的手段により練肉すればよいが、インキ又は塗料としての性能を長く保持する為には密閉状態でインキ化又は塗料化することは望ましい。
　【００１２】
　尚、上記のインキ又は塗料中にはグリセリンやエチレングリコール等の多価アルコールを全体に対して５重量％程度の量で添加しておくことにより、酸素インジケーター層が酸素と接触した時に色素の変色又は消色を早める上で効果的である。その他、インキ又は塗料中にはノニオン系界面活性剤等の各種添加剤や助剤等を加えておくことも出来る。又、上記インキ又は塗料は２液型に調製して、即ち、色素及び還元剤をバインダー液に加えてＡ液を調製し、一方、アルカリ性物質をバインダー液に加えてＢ液を調製し、これら両液を酸素インジケーター層を形成する直前に混合して使用することにより、インキ又は塗料の保存安定性を向上させることが出来る。更に上記のインキ又は塗料には組成物の系内で還元されず且つ酸素インジケーター層用染料とは異なる色の他の色素を別個に添加しておくことにより、無色から有色への発色だけでなく、有色から異なる色相の色に変化させることが出来る。この様な色素としては、従来印刷インキ又は塗料等の着色剤として広く使用されている一般的な顔料や染料がそのまま使用することが出来る。これらの他の色素はインキ又は塗料全体に対して０．０５〜５重量％程度の量で添加することが出来る。
　【００１３】
　上記の如く構成されるインジケーターインキ又は塗料を、例えば、グラビア印刷、オフセット印刷、凸版印刷、スクリーン印刷等の印刷方法或いは塗布方法等により、前記透明樹脂シート、好ましくはプライマーコート層面に施した後、乾燥させることにより酸素インジケーター層が形成される。該酸素インジケーター層の塗工量は１〜２０ｇ／ｍ２（乾燥時）程度とすることが好ましい。塗工量が１ｇ／ｍ２未満であると酸素インジケーター層の発色が淡く、酸素の有無による該インジケーター層の変色を検知することが容易ではない等の問題があり、一方、塗工量が２０ｇ／ｍ２を超えると酸素インジケーター層が凸状に盛り上がり、外観上好ましくない。又、コスト的にも好ましくない。又、酸素インジケーター層を最適な塗工量にする為に２度刷りしてもかまわない。次いで、アンカーコート層（４）を介してシーラント層（５）を形成するが、これは従来公知の押出ラミネート法により実施すればよい。使用されるアンカーコート剤としては、有機チタネート、ポリエチレンイミン系、イソシアネート系等、いずれも使用することが出来るが、透明樹脂シートの材質等によりいずれを使用するかを選択する必要がある。
　【００１４】
　このアンカーコート層（４）上にシーラント層（５）が形成される。シーラント層（５）に使用される樹脂としては、酸素を酸素インジケーター層（３）まで浸透させる必要があるので、気体透過性の樹脂が使用される。例えば、低密度ポリエチレン、直鎖状低密度ポリエチレン、ポリプロピレン、アイオノマー、エチレン−酢酸ビニル共重合体等が挙げられる。
　【実施例】
　次に実施例を挙げて本発明を更に具体的に説明する。先ず、下記組成の印刷インキを調製した。
　Ａインキ
　　メチレンブルー　　　　　　　　　　　　　　　０．１５重量部
　　サフラニンＴ　　　　　　　　　　　　　　　　０．１０重量部
　　セルロースアセテートプロピオネート　　　　　　　３０重量部
　　フラクトース　　　　　　　　　　　　　　　　　　１５重量部
　　エチレングリコール　　　　　　　　　　　　　　　１０重量部
　　酢酸エチル　　　　　　　　　　　　　　　　　２２．５重量部
　　イソプロピルアルコール　　　　　　　　　　　２２．５重量部
　【００１５】
　Ｂインキ
　　水酸化マグネシウム　　　　　　　　　　　　　　　４０重量部
　　セルロースアセテートプロピオネート　　　　　　　２５重量部
　　酢酸エチル　　　　　　　　　　　　　　　　　１７．５重量部
　　イソプロピルアルコール　　　　　　　　　　　１７．５重量部
　プライマー溶液
　　ポリエステル系ウレタン　　　　　　　　　　　　　３０重量部
　　塩化ビニル−酢酸ビニル共重合体　　　　　　　　　２０重量部
　　メチルエチルケトン　　　　　　　　　　　　　　　１５重量部
　　トルエン　　　　　　　　　　　　　　　　　　　　１５重量部
　　酢酸エチル　　　　　　　　　　　　　　　　　　　１５重量部
　　イソプロピルアルコール　　　　　　　　　　　　　　５重量部
　【００１６】
　厚さ１２μｍのポリ塩化ビニリデンコートしたポリエチレンテレフタレートフィルムに、上記プライマー溶液及びＡインキとＢインキとの混合インキ（印刷直前に混合）をこの順序で夫々固形分で１ｇ／ｍ２及び１０ｇ／ｍ２の割合で塗布及び乾燥した。次いで前記印刷物にイソシアネート系アンカーコート剤により、アンカーコート層を形成し、押出ラミネート法により、低密度ポリエチレンを積層し、総厚み４２μｍの本発明の酸素検知機能を有する包装材料を得た。この包装材料を用いて製袋し、脱酸素剤を入れて密封しておくと、酸素インジケーター層が青紫色から鮮明なピンク色に変化した。この包装袋に針孔状の穿孔を作り、酸素の通気性を持たせたところ、酸素インジケーター層は元のの青紫色に変化した。但し、変化速度としては、従来の酸素インジケーターラベルに比較して、若干遅くなっている（青紫色→ピンク色に変化する時間：５時間→２４時間）。
　【００１７】
　【発明の効果】
　以上の如き本発明の酸素検知機能を有する包装材料を用いて製袋すると、外部から酸素インジケーター層の変色が容易に確認出来、又、酸素インジケーター層が包装材料の一構成層となっている為、酸素インジケーターの破片が包装袋の内部へ漏れて内容物に接触したりすることもなく、衛生上の問題も発生しない。又、変色速度が、従来の酸素インジケーターラベルに比較して、若干遅い為長期保存するもの、例えば、クリーニング袋（衣類の防虫用）等に適している。
【図面の簡単な説明】
　【図１】　本発明の包装材料の一部の断面を説明する図。
　【符号の説明】
　１…気体不透過性を有する透過樹脂シート
　２…プライマーコート層
　３…酸素インジケーター層
　４…アンカーコート層
　５…シーラント層